(57)【特許請求の範囲】
【請求項１】
乳幼児を載置可能なベッド本体と、
前記ベッド本体の側部を回転可能に支持する取付ベースと、
前記取付ベースの一部を覆う複数のカバーとを備え、
前記複数のカバーの中の一部のカバーを所定の固定対象に固定するための取付孔及び取付ネジを、前記複数のカバーの中の当該一部のカバー以外のカバーにて覆ったこと、
を特徴とする乳幼児用ベッド。
【請求項２】
乳幼児を載置可能なベッド本体と、
前記ベッド本体の側部を回転可能に支持する取付ベースとを備え、
前記取付ベースには、当該取付ベースの第１の部分を覆う第１のカバーと、当該取付ベースの第２の部分を覆う第２のカバーとを設け、
前記取付ベースに対する前記第２のカバーの取付孔及び取付ネジを、前記第１のカバーにて覆ったこと、
を特徴とする乳幼児用ベッド。
【請求項３】
前記複数のカバーは、前記取付ベースの中央部を覆う第１のカバーと、前記取付ベースの側方部を覆う第２のカバーとを含み、
前記取付ベースに対する前記第２のカバーの取付孔及び取付ネジを、前記第１のカバーにて覆ったこと、
を特徴とする請求項１に記載の乳幼児用ベッド。
【請求項４】
前記取付ベースに対する前記第１のカバーの取付孔及び取付ネジを、前記ベッド本体を閉位置に回転させた状態において当該ベッド本体にて覆われる位置に配置したこと、
を特徴とする請求項２又は３に記載の乳幼児用ベッド。
【請求項５】
前記取付ベースの荷重を支持するための固定脚と、
前記固定脚の一部を覆う第３のカバーとを備え、
前記第３のカバーを前記固定脚に固定するための係止爪を、当該第３のカバーにて覆ったこと、
を特徴とする請求項１から４のいずれか一項に記載の乳幼児用ベッド。
【請求項６】
前記カバーは、当該乳幼児用ベッドを構成する部品を相互に連結する連結箇所、又は、当該乳幼児用ベッドを設置領域に設置するための設置箇所を覆うこと、
を特徴とする請求項１から５のいずれか一項に記載の乳幼児用ベッド。
【発明の詳細な説明】
【技術分野】
【０００１】
本発明は、乳幼児を寝かせるための乳幼児用ベッドに関する。
【背景技術】
【０００２】
従来、百貨店の如き商業施設、又は公共施設等の洗面所や化粧室で乳幼児のオムツ交換を行うための乳幼児用ベッドが提案されている。この乳幼児用ベッドは、概略的には、乳幼児を載置可能なベッド本体と、このベッド本体の側部を回転可能に支持する取付ベースとを備えて構成されている。この取付ベースには取付孔が形成されており、この取付孔に固定ボルトを挿通して壁体にねじ込むことで、乳幼児用ベッドを壁体に取り付けることができる（例えば、特許文献１参照）。
【０００３】
この乳幼児用ベッドには、樹脂性のカバーが設けられている。このカバーは、ベッド本体や取付ベースを覆うことで、回転部分にユーザが触れることを防止して安全性を高める機能や、異なる材質にて形成されているベッド本体や取付ベースを同一材質のカバーにて覆うことで外観上の一体感を高めて意匠性を向上させる機能を有する。特に、乳幼児用ベッドは、不特定多数のユーザが出入りする公共の場所に設置されることが多いため、子供のいたずらの対象になることが考えられる。例えば、乳幼児用ベッドを壁体に対して固定ボルトで固定している場合、この固定ボルトがいたずらによって緩められると、乳幼児用ベッドの安全性が損なわれる可能性がある。このため、このような固定部分をカバーで覆うことで、固定部分へのいたずらを防止して、一層の安全性を確保することができる。
【０００４】
【特許文献１】特開２００３−５２４９４号公報
【発明の開示】
【発明が解決しようとする課題】
【０００５】
しかしながら、従来の乳幼児用ベッドでは、ベッド本体や取付ベースをカバーで覆った後、このカバーをベッド本体や取付ベースにネジ止めしており、このネジ止め部分については外部に露出する位置に配置されていた。従って、このネジ止めを取り外すことによってカバーを取り外すことが可能になり、固定部分が露出していたずらされる可能性があった。
【０００６】
本発明は、上記に鑑みてなされたものであって、乳幼児用ベッドのカバーが取り外されることを防止し、乳幼児用ベッドの安全性を一層高めることができる乳幼児用ベッドを提供することを目的とする。
【課題を解決するための手段】
【０００７】
上述した課題を解決し、目的を達成するために、請求項１に記載の乳幼児用ベッドは、乳幼児を載置可能なベッド本体と、前記ベッド本体の側部を回転可能に支持する取付ベースと、前記取付ベースの一部を覆う複数のカバーとを備え、前記複数のカバーの中の一部のカバーを所定の固定対象に固定するための取付孔及び取付ネジを、前記複数のカバーの中の当該一部のカバー以外のカバーにて覆ったことを特徴とする。
【０００８】
また、請求項２に記載の乳幼児用ベッドは、乳幼児を載置可能なベッド本体と、前記ベッド本体の側部を回転可能に支持する取付ベースとを備え、前記取付ベースには、当該取付ベースの第１の部分を覆う第１のカバーと、当該取付ベースの第２の部分を覆う第２のカバーとを設け、前記取付ベースに対する前記第２のカバーの取付孔及び取付ネジを、前記第１のカバーにて覆ったことを特徴とする。
【０００９】
また、請求項３に記載の乳幼児用ベッドは、請求項１に記載の乳幼児用ベッドにおいて、前記複数のカバーは、前記取付ベースの中央部を覆う第１のカバーと、前記取付ベースの側方部を覆う第２のカバーとを含み、前記取付ベースに対する前記第２のカバーの取付孔及び取付ネジを、前記第１のカバーにて覆ったことを特徴とする。
【００１０】
また、請求項４に記載の乳幼児用ベッドは、請求項２又は３に記載の乳幼児用ベッドにおいて、前記取付ベースに対する前記第１のカバーの取付孔及び取付ネジを、前記ベッド本体を閉位置に回転させた状態において当該ベッド本体にて覆われる位置に配置したことを特徴とする。
【００１１】
また、請求項５に記載の乳幼児用ベッドは、請求項１から４のいずれか一項に記載の乳幼児用ベッドにおいて、前記取付ベースの荷重を支持するための固定脚と、前記固定脚の一部を覆う第３のカバーとを備え、前記第３のカバーを前記固定脚に固定するための係止爪を、当該第３のカバーにて覆ったことを特徴とする。
【００１２】
また、請求項６に記載の乳幼児用ベッドは、請求項１から５のいずれか一項に記載の乳幼児用ベッドにおいて、前記カバーは、当該乳幼児用ベッドを構成する部品を相互に連結する連結箇所、又は、当該乳幼児用ベッドを設置領域に設置するための設置箇所を覆うことを特徴とする。
【発明の効果】
【００１３】
請求項１に記載の本発明によれば、複数のカバーを設け、これら複数のカバーの中の一部のカバーを所定の固定対象に固定するための取付孔及び取付ネジを、複数のカバーの中の一部のカバー以外のカバーにて覆っているので、当該一部のカバー以外のカバーを取り外さない限り、当該一部のカバーの取付孔及び取付ネジに触れることができないので、当該一部のカバーがいたずらによって取り外されることを防止できる。
【００１４】
また、請求項２に記載の本発明によれば、取付ベースに対する第２のカバーの取付孔及び取付ネジを、第１のカバーにて覆っているので、第２のカバーの取付孔及び取付ネジに外部から触れることはできず、当該第２のカバーがいたずらによって取り外されることを防止することができる。
【００１５】
また、請求項３に記載の本発明によれば、取付ベースに対する第２のカバーの取付孔及び取付ネジを、第１のカバーにて覆っているので、取付ベースに対する第２のカバーの取付孔及び取付ネジに外部から触れることはできず、当該第２のカバーがいたずらによって取り外されることを防止することができる。
【００１６】
また、請求項４に記載の本発明によれば、ベッド本体を閉状態とすることで、第１のカバーを取付ベースに固定するための取付孔及び取付ネジが覆われるので、第１のカバーに対するいたずらを防止することができる。
【００１７】
また、請求項５に記載の本発明によれば、固定脚を第３のカバーによって覆っているので、固定脚を床面に固定するための係止爪に対するいたずらを防止することができる。さらに、第３のカバーを固定脚に固定するための係止爪は、第３のカバーの裏面に設けられているため、外部から当該係止爪に触れることができず、当該係止爪に対するいたずらも防止することができる。
【００１８】
また、請求項６に記載の本発明によれば、乳幼児用ベッドを構成する部品を相互に連結する連結箇所、又は、乳幼児用ベッドを設置領域に設置するための設置箇所を覆っているので、当該連結箇所や設置箇所に対するいたずらを防止することができ、当該乳幼児用ベッドの安全性を高めることができる。
【発明を実施するための最良の形態】
【００１９】
以下に添付図面を参照して、この発明に係る乳幼児用ベッドの実施の形態を詳細に説明する。まず、〔Ｉ〕実施の形態の基本的概念を説明した後、〔II〕実施の形態の具体的内容について説明し、〔III〕最後に、実施の形態に対する変形例について説明する。ただし、実施の形態によって本発明が限定されるものではない。
【００２０】
〔Ｉ〕実施の形態の基本的概念
まず、実施の形態の基本的概念について説明する。実施の形態に係る乳幼児用ベッドは、乳幼児を寝かせるためのものであり、特に、カバーが不正に取り外されることを防止して、乳幼児用ベッドの安全性を高めることを目的とする。
【００２１】
実施の形態に係る乳幼児用ベッドは、概略的には、乳幼児を載置可能なベッド本体と、このベッド本体の側部を回転可能に支持する取付ベースと、これらベッド本体又は取付ベースの一部を覆う複数のカバーとを備えて構成されている。
【００２２】
実施の形態に係る乳幼児用ベッドの特徴の一つは、概略的に、複数のカバーを設け、これら複数のカバーの中の一部のカバーを所定の固定対象に固定するための固定部を、複数のカバーの中の一部のカバー以外のカバーにて覆った点にある。例えば、取付ベースの中央部を覆う第１のカバーと、取付ベースの側部を覆う第２のカバーとを設ける。そして、取付ベースの側部に対して第２のカバーをネジ止めし、このネジ止め部分を第１のカバーにて覆う。この構造によれば、第１のカバーを取り外さない限り、第２のカバーのネジ止め部分に触れることができないので、第２のカバーをいたずらによって取り外すことができない。
【００２３】
なお、乳幼児用ベッドの取付対象になる設置面は、壁体に限らず、例えば壁体に設置された固定物に対して取り付けてもよい。以下の実施の形態では、乳幼児用ベッドを壁体に取り付ける場合について説明する。また以下の実施の形態では、水平方向の長さを「幅」、鉛直方向の長さを「高さ」と称する。
【００２４】
〔II〕実施の形態の具体的内容
次に、本発明に係る実施の形態の具体的内容について説明する。この形態は、ベッド本体及び取付ベースをカバーにて覆った形態である。
【００２５】
図１及び図２は、実施の形態に係る乳幼児用ベッドを壁体と共に示す全体斜視図であり、図１には乳幼児用ベッドの閉状態、図２には乳幼児用ベッドの開状態を示す。図３のうち、（ａ）は乳幼児用ベッドの閉状態における正面図、（ｂ）は乳幼児用ベッドの開状態（ただし２点鎖線は閉状態）における側面図、（ｃ）は乳幼児用ベッドの開状態における平面図である。図１及び図２に示すように、乳幼児用ベッド１０は、設置対象である壁体１に対して固定されている。
【００２６】
（壁体の構成）
最初に、乳幼児用ベッド１０の取付対象になる壁体１の構成について説明する。この壁体１は、例えば洗面所の一面を構成するもので、合板やコンクリートにて形成された壁面部１ａと、この壁面部１ａの内部において鉛直方向に沿って配置された左右一対の金属製の支柱１ｂとから構成されている。各支柱１ｂは鉛直方向に沿って配置されており、例えばこの支柱１ｂに対して壁面部１ａを固定することで、壁体１の剛性が高められている。これら一対の支柱１ｂの相互間隔（以下「支柱間隔Ｗ」と称する）は、例えば、建築に使用される法令又は慣用的な長さの単位に準じて決定されており、例えば、４５０ｃｍの整数倍、あるいは、尺貫法による１尺（約３０．３ｃｍ）の整数倍となっている。
【００２７】
（乳幼児用ベッドの構成）
次に、乳幼児用ベッド１０の構成について説明する。図４から図７は乳幼児用ベッド１０の一部を示す斜視図であり、図４はベッド本体を取り外した状態、図５は図４からさらにセンターカバーを取り外した状態、図６は図５からさらに軸受カバーを取り外した状態、図７は図６からさらに脚カバーを取り外した状態を示す。図８は図４のＡ−Ａ矢視断面図である。図１から図８に示すように、乳幼児用ベッド１０は、概略的に、ベッド本体２０、取付ベース３０、及び固定脚４０を備えて構成されている。
【００２８】
ベッド本体２０は、乳幼児を載置するためのもので、載置部２１、上側部２２、及び下側部２３を樹脂から相互一体に形成して構成されている。
【００２９】
載置部２１は、乳幼児の体形に対応する外形を有するもので、図２の開状態において上側となる方の平坦面に、乳幼児を寝かせてオムツ交換等を行うことができる。図３（ｃ）に示すように、この側面における上側部２２との境界近傍位置には、固定ベルト２４の基部が固定されている。この固定ベルト２４は、側面に寝かせた乳幼児を固定するもので、その先端を後述する着脱部に着脱自在に固定することができる。
【００３０】
上側部２２は、図１に示すように、閉状態において載置部２１の上方に位置する側部であって、載置部２１から壁体１に向けて伸びる湾曲状に形成されており、載置部２１と壁体１との隙間を上方から覆うことで、載置部２１と壁体１との一体感を形成する。
【００３１】
下側部２３は、図１の閉状態において載置部２１の下方に位置する側部であり、特許請求の範囲における側部に対応する。この下側部２３には、当該下側部２３を貫通し、当該下側部２３の左右の両側方に延出する回転軸２３ａが設けられている（ただし、回転軸２３ａは後述する図８にのみ示し、他の図面においては図示簡略化のために省略する）。この回転軸２３ａは、下側部２３の左右の両側方の各々において、取付ベース３０の後述する軸受３３に回転可能に支持されている。このような支持構造によって、ベッド本体２０を取付ベース３０に対して回転軸２３ａを中心に回転可能とし、未使用時には図１に示すように、ベッド本体２０を壁体１に沿った位置に閉じることで、スペースの使用効率を向上させることができる。この下側部２３には、図３（ｃ）に示すように、開状態において上側となる方の側面に、固定ベルト２４の先端を固定するための図示しない着脱部が設けられている。ここで、下側部２３は載置部２１よりも狭幅に形成されており、このことによって、下側部２３の左右の両側方には、乳幼児用ベッド１０の正面に向けて開放された開放空間部２５が形成されている。この開放空間部２５の意義については後述する。
【００３２】
次に、取付ベース３０について説明する。この取付ベース３０は、図５から図８に示すように、ベッド本体２０の下側部２３を壁体１に対して回転可能に支持するものであり、長方形状の板状体として形成されている。この取付ベース３０は、載置部２１とほぼ同じ幅に形成されているため、この取付ベース３０の左右の略中央位置にベッド本体２０の下側部２３を当接した状態においては、この取付ベース３０の左右の側部３１、３２が下側部２３から左右に突出し、この突出した側部３１、３２が上述した開放空間部２５を介して正面に露出される。このように正面に露出された側部３１、３２には、取付孔３１ａ〜３１ｃ、３２ａ〜３２ｃが穿設されると共に、軸受３３が設けられている。これら取付孔３１ａ〜３１ｃ、３２ａ〜３２ｃの詳細については後述する。
【００３３】
軸受３３は、下側部２３の回転軸２３ａを回転可能に支持するためのもので、下側部２３の各側方にそれぞれ一対設けられている。この軸受３３には、回転軸２３ａを挿通させるための挿通孔３３ａが設けられており、この挿通孔３３ａに回転軸２３ａの端部を挿通させて保持することができる。なお、この軸受３３には、回転軸２３ａに対して所定方向の付勢力を与えるための付勢バネを設けることができる。
【００３４】
このように構成された取付ベース３０は、センターカバー３４及び軸受カバー３５にて覆われている。センターカバー３４は、取付ベース３０のうちの軸受３３及び下部を除いた各部を外部から覆うことによって、安全性や意匠性を向上させると共に、軸受カバー３５を固定するための取付ネジ３５ｂを外部から隠すことによっていたずらを防止するものであり、特許請求の範囲における第１のカバーに対応する。このセンターカバー３４は、取付ベース３０より若干広幅に形成されると共に、この取付ベース３０の半分程度の高さに形成された正面長方形状の樹脂体である。このセンターカバー３４の上縁近傍には、取付ベース３０に形成された複数の取付孔３０ａに対応する位置に、複数の取付孔３４ａが形成されている。そして、図２の開状態において、センターカバー３４を取付ベース３０に載置し、当該センターカバー３４の取付孔３４ａに挿通させた取付ネジ３４ｂを取付ベース３０の取付孔３０ａにねじ込むことで、センターカバー３４を取付ベース３０に固定することができる。この取付ネジ３４ｂは、図１のようにベッド本体２０を閉状態とすることで覆うことができ、いたずらの対象になることが防止される。
【００３５】
また、軸受カバー３５は、軸受３３を外部から覆うことによって安全性や意匠性を向上させると共に、後述する脚カバー４５を固定するための取付ネジを外部から隠すことによっていたずらを防止するためのものであり、特許請求の範囲における第２のカバーに対応する。この軸受カバー３５は、軸受３３を囲繞可能な大きさの中空半円筒体として形成された樹脂体である。この軸受カバー３５には、軸受３３の上辺に形成された複数の取付孔３３ｂに対応する位置に、複数の取付孔３５ａが形成されている。そして、図２の開状態において、軸受カバー３５を軸受３３に載置し、当該軸受カバー３５の取付孔３５ａに挿通させた取付ネジ３５ｂを軸受３３の取付孔３３ｂにねじ込むことで、軸受カバー３５を軸受３３に固定することができる。この取付ネジ３５ｂは、図１のようにセンターカバー３４を取付ベース３０に固定することで覆うことができ、いたずらの対象になることが防止される。
【００３６】
次に、図７、８に示す固定脚４０について説明する。固定脚４０は、乳幼児用ベッドや乳幼児の荷重を床面に伝達することにより、壁体１への荷重を軽減する補助支持構造体であり、一対の脚柱４１、天板４２、複数の中板４３、及び底板４４を備えて構成されている。一対の脚柱４１は、乳幼児用ベッドや乳幼児の荷重を支持するために十分な剛性を有するもので、下側部２３の幅に対応する間隔を隔てて左右に配置されたものであって、鉛直方向に沿って配置されている。天板４２は、一対の脚柱４１の上端を相互に連結する水平板であり、この天板４２に対して取付ベース３０を固定することで、乳幼児用ベッドや乳幼児の荷重を固定脚４０に伝達することができる。中板４３は、一対の脚柱４１の上端や下端以外の部分を相互に連結する水平板であり、相互に均等な間隔を隔てて複数設けられている。底板４４は、一対の脚柱４１の下端を相互に連結する水平板であり、この底板４４を床面に図示しないアンカーにて固定することで、固定脚４０を床面に取り付けることができる。
【００３７】
この固定脚４０には、脚カバー４５が着脱自在に取り付けられている。この脚カバー４５は、固定脚４０を外部から覆うことによって安全性や意匠性を向上させると共に、固定脚４０を固定するためのアンカー４６を外部から隠すことによっていたずらを防止するためのものであり、特許請求の範囲における第３のカバーに対応する。この脚カバー４５は、固定脚４０を囲繞可能な大きさの中空の箱状体である。図８に示すように、この脚カバー４５の固定脚４０に面する側面には複数の係止爪４５ａが設けられており、この係止爪４５ａを中板４３に係脱自在に係止させることで、脚カバー４５を固定脚４０に取り付けることができる。このように脚カバー４５を取り付けた状態では、アンカー４６が覆われるので、いたずらの対象になることが防止される。なお、取付ベース３０を壁体１に取り付けることによって、乳幼児用ベッド１０を十分な剛性で支持できる場合には、固定脚４０を省略してもよい。
【００３８】
（カバー構造の詳細）
次に、カバー構造の詳細について説明する。図９はセンターカバー３４の詳細な構造を示した図であり、（ａ）は正面図、（ｂ）は平面図、（ｃ）は側面図、（ｄ）は（ａ）のＢ−Ｂ矢視断面図である。図１０は、軸受カバー３５の詳細な構造を示した図であり、（ａ）は正面図、（ｂ）は側面図、（ｃ）は平面図である。図１１は、脚カバー４５の詳細な構造を示した図であり、（ａ）は正面図、（ｂ）は（ａ）のＣ−Ｃ矢視断面図、（ｃ）は平面図である。
【００３９】
（カバー構造の詳細−センターカバー３４）
上述のように、センターカバー３４は、取付ベース３０より若干広幅に形成されると共に、この取付ベース３０の半分程度の高さに形成された正面長方形状の樹脂体である。より詳細には、センターカバー３４は、正面板３４０、側端板３４１、リブ３４２、及び、取付孔３４ａが、相互に一体となって形成されている。
【００４０】
正面板３４０は、センターカバー３４の基本構造となる部分であり、取付ベース３０より若干幅が広く、取付ベース３０の半分程度の高さの長方形状に形成されている。この正面板３４０の両端部には、略三角形状の側端板３４１が、当該正面板３４０と略直交するように配置されている。さらに、センターカバー３４を取付ベース３０に固定した場合における当該取付ベース３０側となる面（以下「裏面」と称する）には、正面板３４０の剛性を向上させるためのリブ３４２が設けられている（図９中では点線で示す）。また、正面板３４０の複数個所には、取付孔３４ａが設けられている。図９（ｄ）に示すように、取付孔３４ａは、その長軸方向が正面板３４０に対して所定角度を有すると共に、側端板３４１と略平行となるように形成されている。また、取付孔３４ａは、正面板３４０の裏面側に突出するように設けられている。これにより、取付孔３４ａに取付ネジ３４ｂを挿通させた場合、当該取付ネジ３４ｂの頭部が正面板３４０の表面上に露出することを避けることができる。
【００４１】
（カバー構造の詳細−軸受カバー３５）
軸受カバー３５は、軸受３３を囲繞可能な大きさの中空半円筒体として形成された樹脂体である。より詳細には、軸受カバー３５は、正面板３５０、側端板３５１、及び、取付穴３５ａが、相互に一体となって形成されている。
【００４２】
正面板３５０は、軸受カバー３５の基本構造となる部分であり、軸受３３より幅及び高さが大きく、当該軸受３３を外囲可能な曲面板として形成されている。この正面板３５０の両端部には、当該正面板３５０と略直交するように、側端板３５１が設けられている。これらの正面板３５０及び側端板３５１によって、中空半円筒体が形成されている。また、正面板３５０の両端部に配置されている側端板３５１の一方には、回転軸２３ａを挿通させるための挿通孔３５２が設けられている。さらに、軸受カバー３５を軸受３３に固定した場合における正面板３５０の上面となる部分には、軸受３３に形成されている取付孔３３ｂの位置に対応して、複数の取付孔３５ａが設けられている。
【００４３】
（カバー構造の詳細−脚カバー４５）
脚カバー４５は、固定脚４０を囲繞可能な大きさの中空の箱状体である。より詳細には、脚カバー４５は、正面板４５０、側端板４５１、係止爪４５ａ、及び、リブ４５２が、相互に一体となって形成されている。
【００４４】
正面板４５０は、脚カバー４５の基本構造となる部分であり、固定脚４０より広幅、且つ、床面から取付ベース３０の高さまで固定脚４０を外囲可能な略長方形状に形成されている。この正面板４５０の両端部には、当該正面板４５０と略直交するように、略長方形状の側端板４５１が設けられている。この側端板４５１には、脚カバー４５を固定脚４０に固定する場合に所定の取付ネジを挿通させるための側面取付孔４５１ａが設けられている。側面取付孔４５１ａは、脚カバー４５を固定脚４０に固定すると共に軸受カバー３５を軸受３３に取り付けた場合において、当該軸受カバー３５の側端板３５１と対向する位置に設けられている。さらに、脚カバー４５を固定脚４０に固定した場合における当該固定脚４０側となる面（以下「裏面」と称する）には、正面板４５０の剛性を向上させるためのリブ４５２が設けられている（図１１中では点線で示す）。また、固定脚４０の中板４３の位置に合わせて、正面板４５０の裏面側には複数の係止爪４５ａが設けられている。
【００４５】
（カバー構造の詳細−各カバーによるいたずら防止）
これらのカバーを相互に組み合わせることにより、各カバーの固定部が他のカバーによって囲繞されるため、当該固定部に対するいたずらを防止することができる。具体的には、固定脚４０は、脚カバー４５の正面板４５０および側端板４５１によって外部から囲繞されており、当該固定脚４０を床面に固定するためのアンカー４６を外部から隠している。また、ベッド本体２０を取付ベース３０に取り付けることにより、脚カバー４５を固定脚４０から取り外せないようにしている。さらに、脚カバー４５の側面取付孔４５１ａは、軸受カバー３５を軸受３３に取り付けることにより、当該軸受カバー３５の側端板３５１によって覆われる。
【００４６】
また、軸受３３は、軸受カバー３５を当該軸受３３に取り付けることにより、当該軸受カバー３５の正面板３５０および側端板３５１によって囲繞される。さらに、軸受カバー３５を軸受３３に固定するための取付ネジ３５ｂを挿通させる取付孔３５ａは、センターカバー３４を取付ベース３０に取り付けることにより、当該センターカバー３４の正面板３４０および側端板３４１によって囲繞される。センターカバー３４を取付ベース３０に固定するための取付ネジ３４ｂを挿通させる取付孔３４ａは、上述のように、当該センターカバー３４の正面板３４０の裏面側に突出するように設けられているため、取付孔３４ａに取付ネジ３４ｂを挿通させた場合でも、当該取付ネジ３４ｂの頭部が正面板３４０の表面上に露出することを避けることができる。
【００４７】
また、ベッド本体２０を閉状態とすることで、当該ベッド本体２０によってセンターカバー３４の正面板３４０が外囲されるので、当該センターカバー３４を取付ベース３０に固定するための取付ネジ３４ｂを挿通させる取付孔３４ａが覆われる。
【００４８】
（実施の形態の効果）
このように実施の形態によれば、複数のカバーを設け、これら複数のカバーの中の一部のカバーを所定の固定対象に固定するための固定部を、複数のカバーの中の一部のカバー以外のカバーにて覆っているので、当該一部のカバー以外のカバーを取り外さない限り、当該一部のカバーの固定部に触れることができないので、当該一部のカバーがいたずらによって取り外されることを防止できる。
【００４９】
例えば、軸受３３を覆う軸受カバー３５の取付孔３５ａを、センターカバー３４によって覆っているので、軸受カバー３５を軸受３３に固定している取付ネジ３５ｂに外部から触れることはできず、当該軸受カバー３５をいたずらによって取り外されることを防止することができる。
【００５０】
また、ベッド本体２０を閉状態とすることで、センターカバー３４を取付ベース３０に固定するための取付ネジ３４ｂを挿通させる取付孔３４ａが覆われるので、当該センターカバー３４に対するいたずらを防止することができる。
【００５１】
また、固定脚４０を脚カバー４５によって覆っているので、固定脚４０を床面に固定するアンカー４６に対するいたずらを防止することができる。さらに、脚カバー４５を固定脚４０に固定するための係止爪４５ａは、脚カバー４５の裏面に設けられているため、外部から当該係止爪４５ａに触れることができず、当該係止爪４５ａに対するいたずらも防止することができる。また、脚カバー４５を固定脚４０に固定する取付ネジを挿通させるための側面取付孔４５１ａは、軸受カバー３５の側端板３５１によって覆われるので、当該脚カバー４５に対するいたずらを防止することができる。
【００５２】
〔III〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５３】
（解決しようとする課題や発明の効果について）
発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【産業上の利用可能性】
【００５４】
この発明に係る乳幼児用ベッドは、テーブルに近接配置されたシート上に設置される乳幼児用ベッドに適用でき、安定した状態で容易に設置することができ、誤使用を防ぐことができる乳幼児用ベッドに有用である。
【図面の簡単な説明】
【００５５】
【図１】本発明の実施の形態に係る乳幼児用ベッドを壁体と共に示す全体斜視図であり、乳幼児用ベッドの閉状態を示す図である。
【図２】図１の乳幼児用ベッドの開状態を示す図である。
【図３】（ａ）は乳幼児用ベッドの閉状態における正面図、（ｂ）は乳幼児用ベッドの開状態（ただし２点鎖線は閉状態）における側面図、（ｃ）は乳幼児用ベッドの開状態における平面図である。
【図４】乳幼児用ベッドの一部を示す斜視図であり、ベッド本体を取り外した状態の斜視図である。
【図５】図４からさらにセンターカバーを取り外した状態の斜視図である。
【図６】図５からさらに軸受カバーを取り外した状態の斜視図である。
【図７】図６からさらに脚カバーを取り外した状態の斜視図である。
【図８】図４のＡ−Ａ矢視断面図である。
【図９】（ａ）はセンターカバーの正面図、（ｂ）はセンターカバーの平面図、（ｃ）はセンターカバーの側面図、（ｄ）は（ａ）のＢ−Ｂ矢視断面図である。
【図１０】（ａ）は軸受カバーの正面図、（ｂ）は軸受カバー３５の側面図、（ｃ）は軸受カバーの平面図である。
【図１１】（ａ）は脚カバーの正面図、（ｂ）は（ａ）のＣ−Ｃ矢視断面図、（ｃ）は脚カバーの平面図である。
【符号の説明】
【００５６】
１  壁体
１ａ  壁面部
１ｂ  支柱
１０  乳幼児用ベッド
２０  ベッド本体
２１  載置部
２２  上側部
２３  下側部
２３ａ  回転軸
２４  固定ベルト
２５  開放空間部
３０  取付ベース
３０ａ、３３ｂ、３４ａ、３５ａ  取付孔
３１、３２  側部
３１ａ〜３１ｃ、３２ａ〜３２ｃ  取付孔
３３  軸受
３３ａ  挿通孔
３４  センターカバー
３４ｂ、３５ｂ  取付ネジ
３５  軸受カバー
４０  固定脚
４１  脚柱
４２  天板
４３  中板
４４  底板
４５  脚カバー
４５ａ  係止爪
４６  アンカー
３４０、３５０、４５０  正面板
３４１、３５１、４５１  側端板
３４２、４５２  リブ
３５２  挿通孔
４５１ａ  側面取付孔
Ｗ  支柱間隔
【図１】
0005219496.tif 000002
【図２】
0005219496.tif 000003
【図３】
0005219496.tif 000004
【図４】
0005219496.tif 000005
【図５】
0005219496.tif 000006
【図６】
0005219496.tif 000007
【図７】
0005219496.tif 000008
【図８】
0005219496.tif 000009
【図９】
0005219496.tif 000010
【図１０】
0005219496.tif 000011
【図１１】
0005219496.tif 000012